(57)【要約】      （修正有）【課題】肩に不自由を感じている人でも和装帯のお太鼓をきれいに仕上げることができ、着崩れを防止することができるお太鼓帯枕固定補具、および、飾結びでは結び目を高い位置に固定することで着崩れをすることなく飾結びを高い位置に維持することができる飾結び固定補助具を提供する。【解決手段】お太鼓用差し込み板５に帯枕固定土台２を装着し、動きの良い方の片手で胴に巻いてある帯の背の中心にお太鼓用差し込み板５を差し込み、両端に縫合した印付きのマジックベルト７を胴の前にまわしとめることで、帯枕の土台を作り着崩れを防止することができる。飾結びでは、て先側とたれ側の帯を結び、結び目を飾結び固定土台の上にのせることで、帯山や飾結びを高い位置に維持することができ、着崩れすることなく維持できるようになる。固定土台２の厚みを変えることで帯山や飾結びの高さを自由にきめることができる。【選択図】図１
0003232666.tif 000002
【実用新案登録請求の範囲】
【請求項１】
帯枕固定土台（２）についている着脱部分（３）をお太鼓用差し込み板（５）の挿入口（４）に入れ込み、固定している状態で胴に巻いている帯の上線（１）からお太鼓用差し込み板（５）を背中に挿入し、お太鼓用差し込み板下部にある突起部分（６）を背骨の位置に合う事を確認し、お太鼓用差し込み板（５）の両端に縫合した印（８）付きのマジックベルト（７）を胴の前に回し、両側のベルトそれぞれにある同じ印を合わせてとめることにより、帯枕（１０）を平らに、そして左右に偏ることなく背中の中心に固定する事ができ、帯枕固定土台（２）の厚みを変えることにより巻いた帯の上線（１）からの帯枕（１０）の位置を、着物や帯、想定される場面に合わせて自由自在に変えることができる事を特徴とするお太鼓帯枕固定補助具（１９）。
【請求項２】
飾結び（１６）では帯を胴に巻き背で、て先側（１７）とたれ側（１８）を交差させ結び、飾結び固定土台（１３）を連結した飾結び用差し込み板（１４）を背の中心に差し込み、結び目（１５）を飾結び固定土台（１３）の上に乗せ、帯山や飾結び（１６）を高い位置に固定し帯結びが下がらないようにし、飾結び固定土台（１３）の厚みを変える事で高さを自由に決めることが出来ることを特徴とする飾結び固定補助具（２０）。
【考案の詳細な説明】
【技術分野】
【０００１】    本考案は、和装帯を背中に装着するお太鼓結びや飾結びに関するものである。
【背景技術】
【０００２】    自分で着物を着付け、帯でお太鼓を作る方法として、帯を胴に巻いた後両手を後ろにまわし帯枕に帯を乗せて、その帯枕と帯の両端をそれぞれ片手で持ち、両手を一緒に水平に持ち上げ、お太鼓の帯山の高さが決定すると帯枕に縫合されている両側の紐やガーゼ等を胴の前にまわし、帯枕が落ちてこないように強く結ぶのである。
【考案の概要】
【考案が解決しようとする課題】
【０００３】    自分で着物を着付け、お太鼓結びをする場合、腕を後ろに回して背の方でお太鼓を作るため、目で見て確認することは出来ないのである。そのため、自分の感覚を信じて作るが、四十肩や五十肩等の肩を痛めている人は、左右で肩の可動域が異なるため帯枕を左右の手で持ち上げた時に傾いてしまったり、左右のどちらかに寄ってしまったり、同じように帯枕を持ち上げても水平に固定する事は困難である。肩に不自由を感じている人が帯枕を固定する際、傾き、そして左右のどちらかに寄る事を解決しようとするものである。【０００４】    体型や身長、年齢等によって異なるが、高い位置にお太鼓の帯山を決めたい場合、肩の可動域が小さいと帯枕を高い位置に固定する事が困難なため、お太鼓の帯山が低い位置となり理想のお太鼓を作ることが出来ないのである。肩に不自由を感じている人のお太鼓の帯山が低くなることを解決しようとするものである。【０００５】    帯枕は両側についている紐等のみで固定されているため、紐の締め具合が重要である。紐を強く結ぶと息苦しく、優しく結ぶと帯枕は低い位置へと下がり着崩れの原因となるのである。帯枕の紐の結ぶ力加減はとても難しく気姿の良し悪しを左右する重要な項目であるため、帯枕が時間や動きの程度と共に下がるのを防止し、着崩れを解決しようとするものである。同時に他人に着物を着せる着付師もこの考案を使用することにより、着崩れを防止することができ苦情等の問題も起こりにくく、着付師の負担を軽減するものである。【０００６】    振袖に使用する帯結びとして飾結びがあるが、帯山や飾結び全体を高く決め固定させる事が重要であるため、土台としておしぼりタオル等を結び目の下に入れることが多いのである。しかし、おしぼりタオルでは、背中から出幅が少なく高い位置に決めた帯山や飾結びが下がる恐れがあることを解決しようするものである。【０００７】  前記課題（０００３〜０００６）を解決するために、着付け方法の基本を変えることなくお持ちの道具を使用したうえで、より簡単に取り入れることができる方法を提案するものである。
【課題を解決するための手段】
【０００８】    お太鼓帯枕固定補助具は、動きの良い方の片手で胴に巻いてある帯の背中に挿入し、お太鼓用差し込み板下部にある突起部分が背骨の位置に合うかを確認し、お太鼓用差し込み板の両端に縫合した印付きのマジックベルトを胴の前に回し、両側のベルトそれぞれにある同じ印を合わせ留めることにより、お太鼓帯枕固定補助具は左右に偏ることなく中心に固定することができる。そして帯枕固定土台の上に帯枕とその上に重ねた帯を動きの良い方の片手で乗せることで平らに帯枕を固定することができ問題点を解決している。【０００９】    振袖の飾結びでは、高い位置に決めた帯山や飾結びが下がらないようにするために、飾結び固定補助具の飾結び固定土台を出幅を大きくし、その上に帯の結び目を乗せることで問題点を解決している。
【考案の効果】
【００１０】    肩に不自由を感じている人や、加齢とともに着物を着る事が難しくなる人でも、綺麗にお太鼓を決めることができるため、日本の伝統着である着物を生涯にわたって身につけることへの意欲が湧き、若い世代に着物を広める機会にもつながる。着物を好まない理由として、着ていると息苦しいという意見が多いが少しでも着る人の負担をなくし「着心地は良いが着崩れをしない方法」を取り入れることで、着物が好まれるきっかけにもつながるのである。
【図面の簡単な説明】
【００１１】
【図１】お太鼓帯枕固定補助具の正面図である。
【図２】お太鼓帯枕固定補助具の上部から見た図である。
【図３】お太鼓帯枕固定補助具の断面図である。
【図４】お太鼓帯枕固定補助具の実施例を示す正面図である。
【図５】お太鼓帯枕固定補助具を使用した場合のお太鼓断面図である。
【図６】飾結び固定補助具の正面図である。
【図７】飾結び固定補助具の上部から見た図である。
【図８】飾結び固定補助具の実施例を表す正面図である。
【図９】飾結び固定補助具の実施例と飾結び例を示した図である。
【考案を実施するための形態】
【００１２】    お太鼓帯枕固定補助具１９では、お太鼓用差し込み板５に帯枕固定土台２を装着し片手で持ち、胴に巻いてある帯の背中にお太鼓用差し込み板５を挿入し、お太鼓用差し込み板下部にある突起部分６が背骨の位置に合うかを確認し、お太鼓用差し込み板５の両端に縫合した印付きのマジックベルト７を胴の前に回し、両側のベルトのそれぞれにある同じ印８を合わせ留めるのでる。そして帯枕固定土台２の上に帯枕１０とその上に重ねた帯９を片手で乗せ、帯枕１０に縫合されている紐等を前にまわし結ぶ。飾結び固定補助具２０は、飾結び用差し込み板１４に飾結び固定土台１３を装着しておき、胴に帯を巻きて先側１７とたれ側１８を交差させ背で結んだ後に、飾結び用差し込み板１４を背中に差し込み、結び目１５を飾結び固定土台１３の上に乗せる。その後は色々な飾結び１６をすることができるのである。
【実施例】
【００１３】  差し込み板（５，１４）は、背中部分に当たるため薄く、柔らかく、体に合わせて変形することに富んだレーヨン素材で、一度挿入すると抜けにくいように目地をいれる。差し込み板は、お太鼓用と飾結び用があり固定土台に乗せる物に考慮して使い分けるのである。【００１４】差し込み板（５，１４）に縫合されるマジックベルト７は伸縮性があり、どのような体型でも使用できる。左右のマジックベルトには印８がついており、左右の同じ印の位置でとめることにより、固定土台が中心に配置されたことを知ることができる【００１５】固定土台（２，１３）はウレタン製の弾力性のあるものとする。帯枕１０には一般的にウレタン製が採用されるため、同一の素材とすることでより一体性を確保することができる。固定土台は、お太鼓用の帯枕を乗せるものと、飾結び用の結び目を乗せるものの２種類とし、差し込み板（５，１４）に装着して使用する。固定土台（２，１３）の厚みも数種類用意し使い分けることで、帯枕や結び目の高さを変えることができる。
【符号の説明】
【００１６】１  帯の上線
２  帯枕固定土台
３  着脱部分
４  挿入口
５  お太鼓用差し込み板
６  突起部分
７  マジックベルト
８  印
９  帯
１０  帯枕
１１  帯揚げ
１２  帯山
１３  飾結び固定土台
１４  飾結び用差し込み板
１５  結び目
１６  飾結び
１７  て先側
１８  たれ側
１９  お太鼓帯枕固定補助具
２０  飾結び固定補助具
【図１】
0003232666.tif 000003
【図２】
0003232666.tif 000004
【図３】
0003232666.tif 000005
【図４】
0003232666.tif 000006
【図５】
0003232666.tif 000007
【図６】
0003232666.tif 000008
【図７】
0003232666.tif 000009
【図８】
0003232666.tif 000010
【図９】
0003232666.tif 000011